(57)【要約】【課題】従来の撮影効果付与用具における締付手段の帯体を装着口の周りに巻いてこの帯体に引っ張り力を加えて撮影装置のレンズ前円枠に固定するという構成を採ることなく撮影効果付与用具を取り付けることができるようにし、撮影効果付与用具の取付に係る信頼性を高める【解決手段】撮影効果付与用具における締付手段４を、撮影効果付与用具１のケース体３に螺合して螺合回転により回転中心軸１３方向に沿って移動する取付操作環１２と、全周に亘って傾斜側面１８を有し、前記取付操作環１２による前記傾斜側面１８側に対するケース体３方向への押圧により縮径する拡縮可能な締付環１４とからなるものとし、締付手段４の内部に撮影装置の前記前円枠を配置して取付操作環１２が締付方向に回転したときに、締付環１４が縮径して前円枠を締め付け、締付手段４を介して前円枠とケース体とが連結される構成とした【選択図】    図１
0003105531.tif 000002
【実用新案登録請求の範囲】
【請求項１】
ビデオカメラなどの撮影装置におけるレンズの前円枠に取り付け、広角効果などの撮影効果を付与する用具であって、
広角レンズなどの撮影効果付与体とこの撮影効果付与体を支持するケース体とこのケース体の後部に位置して前記前円枠が挿入てきる締付手段とを備え、
前記締付手段は、ケース体に螺合して螺合回転により回転中心軸方向に沿って移動する取付操作環と、全周に亘って傾斜側面を有し、前記取付操作環による前記傾斜側面側に対するケース体方向への押圧により縮径する拡縮可能な締付環とからなり、
前記締付手段の内部に撮影装置の前記前円枠を配置して前記取付操作環が締付方向に回転したときに、前記締付環が縮径して前円枠を締め付け、締付手段を介して前円枠とケース体とが連結される構成としたことを特徴とする撮影効果付与用具。
【請求項２】
前記締付環の傾斜側面とこの締付環の傾斜側面側に向けて押圧力を加える取付操作環の押圧力付与面との間に摺接部材が位置し、回転する取付操作環の押圧力付与面が前記摺接部材を介して締付環の前記傾斜側面に相対的に回転可能に対応し、取付操作環の締付回転時に取付操作環からの回転力を締付環側へ非伝達状態にして取付操作環が締付環の傾斜側面側に押圧力を加える構成とした請求項１に記載の撮影効果付与用具。
【考案の詳細な説明】
【技術分野】
【０００１】
本考案は、業務用ビデオカメラなどの撮影装置におけるレンズの前面側に取り付けて、広角撮影や乱反射光除去撮影などの撮影効果を付与する撮影効果付与用具に関するものである。
【背景技術】
【０００２】
業務用のビデオカメラなどの撮影装置を用いた撮影作業においても広角撮影を行なったり、各種フィルタを介在させる撮影技法がある。このような広角撮影や乱反射光除去フィルタリング撮影などの撮影効果を得るために、広角レンズやフィルタなどの撮影効果付与体を配した撮影効果付与用具を前記撮影装置のレンズ前部に取り付けるようにしている。
図４に示されているようにこの撮影効果付与用具１は、広角レンズやフィルタなどの撮影効果付与体２と、この撮影効果付与体２を前面から内部に配して支持するケース体３と、このケース体３の後部であって撮影装置のレンズの前円枠が挿入できる締付手段４とを備えてなるものである。そして締付手段４にあっては、ケース体３のスリット５が入れられた円筒状の装着口６に帯体７を廻し、その帯体７の一方の端部に配した締付ねじ８を帯体７の他方の端部に螺合できるようにしたものであり、その締付ねじ８の一方向の螺合回転を行なうことで装着口６を縮径させて、レンズの前円枠に取付固定できるようにしたものであった。
【考案の開示】
【考案が解決しようとする課題】
【０００３】
しかしながら、帯体を巻いて締め付けるようにした上記締付手段にあっては、帯体の端部という局所で締付ねじの捻じ込みによる引っ張り力を生じさせているので、両端部に応力が集中し易く、この端部の位置で締付手段が破損する可能性が高くなるという不都合がある。
そこで、本考案は上記事情に鑑み、上述したように帯体を装着口の周りに巻いてこの帯体に引っ張り力を加えて撮影装置のレンズ前円枠に固定するという構成を採ることなく撮影効果付与用具を取り付けることができるようにすることを課題とし、撮影効果付与用具の取付に係る信頼性を高めることを目的とするものである。
【課題を解決するための手段】
【０００４】
本考案は上記課題を考慮してなされたもので、ビデオカメラなどの撮影装置におけるレンズの前円枠に取り付け、広角効果などの撮影効果を付与する用具であって、広角レンズなどの撮影効果付与体とこの撮影効果付与体を支持するケース体とこのケース体の後部に位置して前記前円枠が挿入てきる締付手段とを備え、前記締付手段は、ケース体に螺合して螺合回転により回転中心軸方向に沿って移動する取付操作環と、全周に亘って傾斜側面を有し、前記取付操作環による前記傾斜側面側に対するケース体方向への押圧により縮径する拡縮可能な締付環とからなり、前記締付手段の内部に撮影装置の前記前円枠を配置して前記取付操作環が締付方向に回転したときに、前記締付環が縮径して前円枠を締め付け、締付手段を介して前円枠とケース体とが連結される構成としたことを特徴とする撮影効果付与用具を提供して、上記課題を解消するものである。
【０００５】
そして、本考案において、前記締付環の傾斜側面とこの締付環の傾斜側面側に向けて押圧力を加える取付操作環の押圧力付与面との間に摺接部材が位置し、回転する取付操作環の押圧力付与面が前記摺接部材を介して締付環の前記傾斜側面に相対的に回転可能に対応し、取付操作環の締付回転時に取付操作環からの回転力を締付環側へ非伝達状態にして取付操作環が締付環の傾斜側面側に押圧力を加える構成とすることが良好である。
【考案の効果】
【０００６】
本考案の撮影効果付与装置の締付手段によれば、締付環の全周に亘って傾斜側面を有してその傾斜側面側に取付操作環から押圧力を受けることでこの締付環が縮径して、撮影装置のレンズの前円枠を締め付けるようにしており、取付操作環を締付方向に回転させたときに締付環の全周に亘って前記押圧力が加わるので、局部に応力が集中せず、締付環が損傷し難くなることにより撮影効果付与用具の取付における信頼性を向上させることができるようになる。
【０００７】
また、取付操作環と締付環との間に、その両者に対して相対的に回動可能な摺接部材を位置させて、締付回転する取付操作環の回転力を締付環に伝わらないようにしたので、撮影装置のレンズの前円枠の外周に対応位置する締付環がその前円枠の外周で回転せず、その前円枠に傷などを付けず、目円枠の外観を損なうことがない。
【考案を実施するための最良の形態】
【０００８】
つぎに本考案を図１から図３に示す実施の形態に基づいて詳細に説明する。なお、図４に示す従来例と構成が重複する部分は同符号を付してその説明を省略する。
本考案の撮影効果付与用具１の締付手段４は、図１に示されているようにケース体３の後部において、撮影装置のレンズの前円枠Ａと対応する開口９を囲むようにして環状の壁部材１０を取り付け、この壁部材１０の外周面にある外ねじ１１に筒状の取付操作環１２を螺合させて螺合回転により回転中心軸１３の方向に沿ってケース体前方やケース体後方に向けて移動できるようにし、そして、この取付操作環１２の内側において壁部材１０の延長位置となるようにしてケース体３側から締付環１４、摺接部材１５を配置したものである。
【０００９】
図示するように締付手段４における上記筒状の壁部材１０の後端面は、その全周に亘って回転中心軸１３側にして、かつケース体３の前方側に向けて傾斜している第一傾斜側面１６として設けられている。そして、この壁部材１０に螺合する上記取付操作環１２は、締付手段４の内方に挿入配置される撮影装置のレンズの前円枠に対するこの撮影効果付与用具１の取り付けや取り外しのための操作を行なう部分であり、締める方向に、また緩める方向に回転させるときに回転中心軸１３の方向に沿って移動する。
【００１０】
前記取付操作環１２の内部に位置する上記締付環１４と摺接部材１５とは共に一部が分断された略Ｃ形状であり、ばね性により径方向に拡縮可能なものである。そして、一方の締付環１４はその断面を略台形にし、前記壁部材１０の第一傾斜側面１６と対応する側を、回転中心軸１３側にして、かつケース体３の前方側に向けて傾斜している第二傾斜側面１７とし、この第二傾斜側面１７に対向するもう一方側を、回転中心軸１３側にして、かつケース体３の後方側に向けて傾斜している第三傾斜側面１８としている。この締付環１４の前記第二傾斜側面１７は壁部材１０の第一傾斜側面１６に摺接するものであり、後述するように締付環１４が壁部材１０側に押圧されると、第一傾斜側面１６に案内されて縮径するようになり、押圧力が解除されれば取付操作環１２の内面に接するまで前記ばね性によって拡径し、前円枠が出し入れできる内径が確保されるようにしている。このように第一傾斜側面１６と第二傾斜側面１７との間の摺接は、締付環１４の拡縮動作がスムーズになるように摺接するものであり、締付環１４が壁部材１０側に押圧されている状態でこの壁部材１０に対して締付環１４が相対的に回転可能となる摺接関係ではない。
また、摺接部材１５は、図２に示されているように断面を略菱形にし、締付環１４の上記第三傾斜側面１８に対応する一方側を、回転中心軸１３側にして、かつケース体３の後方側に向けて傾斜している第四傾斜側面１９とし、この第四傾斜側面１９に対向するもう一方側を、回転中心軸１３側にして、かつケース体３の後方側に向けて傾斜している第五傾斜側面２０としている。第四傾斜側面１９は締付環１４の第三傾斜側面１８に摺接するものである。この第三傾斜側面１８と第四傾斜側面１９との摺接関係によって、摺接部材１５が締付環１４をケース体３側に押圧する状態の時点でも、締付環１４に対して相対的に摺接部材１５が回転可能とされ、また、ケース体３への押圧を行なったときに締付環１４が第一傾斜側面１６やこの第四傾斜側面１９に案内されてスムーズに縮径するように設けられている。そして、締付環１４に押圧力を加えなくなるときにも第一傾斜側面１６やこの第四傾斜側面１９に案内されて締付環１４がスムーズに拡径するようにしている。
【００１１】
上記摺接部材１５の第五傾斜側面２０には、図示されているように取付操作環１２の後端側の内周面位置に亘って設けられた押圧力付与部２１が摺接する。この取付操作環１２における押圧力付与部２１は、第五傾斜側面２０に対応して回転中心軸１３側にして、かつケース体３の後方側に向けて傾斜している面として構成されている。そして、摺接部材１５の第五傾斜側面２０とこの押圧力付与部２１との摺接関係では、取付操作環１２を締め付ける方向に回転させ、押圧力付与部２１がケース体３側に前進して摺接部材１５の第五傾斜側面２０に接触し、さらに摺接部材１５を押す方向に進む場合でも、押圧力付与部２１が摺接部材１５に対して相対的に回転できるものとしており、回転しながら摺接部材１５をケース体３側に押すように設けられている。
取付操作環１２に押圧された摺接部材１５も同様に締付環１４をケース体３の前方側に押圧するようになり、壁部材１０に押し当てられる締付環１４は上述したように第一傾斜側面１６と第四傾斜側面１９とに案内されて縮径し、これによって締付手段４に挿入配置されているレンズの前円枠Ａをこの締付手段４で締め付けられることになり、締付手段４を介して前円枠Ａとケース体３とが連結され、本撮影効果付与用具１がレンズ前に取り付けられた状態となる。
上述したように締付環１４の第三傾斜側面１７へ加える押圧力を面として接合する摺接部材１５からその第三傾斜側面１７の全周に亘って加えており、さらに、面で接合する壁部材１０から第二傾斜側面１６への反力もこの第二傾斜側面１６の全周に亘って加わるものとなるため、締付環１４に局所的な応力集中が生じず、高強度の素材から締付環１４を形成しなくとも破損し難いものとなる。そのため、本撮影効果付与用具１の前円枠への取付が確実に行なえ、取付に係る信頼性が格段に向上する。また、取付操作環１２の回転力を締付環１４に非伝達状態にしているため、締付環１４の共回りが防止でき、前円枠の外周面を傷付けることがない。
【００１２】
上記実施の例では摺接部材１５を介して取付操作環１２から締付環１４側に押圧力を加えるようにしたが、本考案はこの例に限定されるものではない。例えば摺接部材を用いず、取付操作環１２の押圧力付与部２１を直接締付環１４の第三傾斜側面１８に摺接させ、この第三傾斜側面１８と押圧力付与部２１との摺接状態を滑り良好なものとし、取付操作環１２の操作に伴って締付環１２を拡縮させながら、共回りしないようにすることも可能である。
【図面の簡単な説明】
【００１３】
【図１】本考案に係る撮影効果付与用具の一例を示す説明図である。
【図２】一例における前円枠を締め付ける前の締付手段を断面で示す説明図である。
【図３】一例における前円枠を締め付けたの締付手段を断面で示す説明図である。
【図４】従来例を示す説明図である。
【符号の説明】
【００１４】
１…撮影効果付与装置
３…ケース体
４…締付手段
１０…壁部材
１２…取付操作環
１３…回転中心軸
１４…締付環
１５…摺接部材
１６…第一傾斜側面
１７…第二傾斜側面
１８…第三傾斜側面
１９…第四傾斜側面
２０…第五傾斜側面
２１…押圧力付与部
【図１】
0003105531.tif 000003
【図２】
0003105531.tif 000004
【図３】
0003105531.tif 000005
【図４】
0003105531.tif 000006